(57)【要約】【課題】撮像装置において、複数の配線をレンズユニットの回動操作に影響しないように撮像装置内に適切に収めることができるようにする。【解決手段】撮像装置１は、主回路基板１５（電子部品）を有する装置本体２と、装置本体２に対して回動操作可能に連結されたレンズユニット２０と、レンズユニット２０に設けられた複数の機能部と、レンズユニット２０の後部と主回路基板１５とに亘って掛け渡され、各機能部と主回路基板１５とを電気的に接続するための配線６０，６０，…と、を備えている。台座部５１の後面には、各配線６０を、台座部５１の後面上に沿った状態で這わせるための配線空間Ｓが設けられている。各配線６０は、配線空間Ｓ内でレンズユニット２０の回動操作に伴ってレンズ光軸Ｌ回りに変位可能に配置されている。【選択図】図５
2019002946.tif 000002
【特許請求の範囲】
【請求項１】
撮像装置であって、
電子部品を有する装置本体と、
前記装置本体にレンズ光軸を中心として回動操作可能に連結されたレンズユニットと、
前記レンズユニットに設けられ、前記撮像装置における所定の機能を実行させるための複数の機能部と、
前記レンズユニットの後部と前記電子部品とに亘って掛け渡され、前記各機能部と該電子部品とを電気的に接続するための複数の配線と、を備え、
前記レンズユニットの後側には、前記複数の配線を、該レンズユニットの後部に沿った状態で這わせるための配線空間が設けられており、
前記複数の配線は、前記配線空間内で前記レンズユニットの回動操作に伴って前記レンズ光軸回りに変位可能に配置されている、撮像装置。
【請求項２】
請求項１に記載の撮像装置において、
前記配線空間内には、前記各配線の変位範囲を規制する規制部が設けられている、撮像装置。
【請求項３】
請求項１または２に記載の撮像装置において、
前記レンズユニットの後部から前記装置本体の後側に間隔をあけた位置に仕切り壁部材が配設されており、
前記配線空間は、前記仕切り壁部材の前側に形成されている、撮像装置。
【請求項４】
請求項１〜３のいずれか１項に記載の撮像装置において、
前記レンズユニットの後部には、前記複数の配線を前記配線空間内に配置するための台座部が設けられており、
前記台座部には前記複数の配線のうちの少なくとも１つの配線と電気的に接続される中継基板が設けられており、該配線が前記配線空間内において前記中継基板から前記電子部品に向かうように配置されている、撮像装置。
【請求項５】
請求項４に記載の撮像装置において、
前記レンズユニットの後部には撮像素子が内蔵されており、
前記台座部の前側には、前記撮像素子により生じた熱を放熱するための放熱部が設けられている、撮像装置。
【発明の詳細な説明】
【技術分野】
【０００１】
本発明は、撮像装置に関するものである。
【背景技術】
【０００２】
従来、装置本体に対して回動操作可能なレンズユニットを備える撮像装置として、例えば特許文献１のような撮像装置が提案されている。
【０００３】
この特許文献１には、円形状の内周面が前後方向に延びるように形成された開口部が前側に形成されたカメラ本体と、内部にレンズ部が設けられ、カメラ本体に対し回動操作可能となるように開口部内に収容された円筒状のユニット本体と、を備えた撮像装置が開示されている。この撮像装置によると、撮影者が、撮影途中にユニット本体の位置を自由に回動操作することで、縦横のフレーミングを変更することができる。
【０００４】
この特許文献１の撮像装置において、カメラ本体の後側には、ユニット本体の後方にカメラ回路基板が配設されている。また、ユニット本体の後部には、撮像素子および撮像素子と電気的に接続された素子回路基板が配設されている。さらに、ユニット本体の後部から素子回路基板に向かって架け渡されたフレキシブル配線基板（特許文献１の図４参照）により、素子回路基板がカメラ回路基板と電気的に接続されている。
【先行技術文献】
【特許文献】
【０００５】
【特許文献１】特開２００３−２２４７４４号公報
【発明の概要】
【発明が解決しようとする課題】
【０００６】
上記特許文献１の撮像装置では、フレキシブル配線基板がユニット本体の後部に設けられた素子回路基板からカメラ回路基板に向かって単に架け渡されているに過ぎない。このため、ユニット本体の回動操作に伴いフレキシブル配線基板が緩められ又は引っ張られる結果、フレキシブル配線基板がねじれやすくなっている。すなわち、上記特許文献１の撮像装置では、フレキシブル配線基板がユニット本体の回動操作に追従するような構成になっていない。これにより、ユニット本体の動作が阻害され、ユニット本体をスムーズに回動操作することが困難になるという問題が生じる。
【０００７】
また、上記特許文献１の撮像装置では、ユニット本体に設けられた他の機能部（例えばレンズ部、レンズ駆動部など）とカメラ本体に設けられたカメラ回路基板とを電気的に接続する複数の配線をフレキシブル配線基板とともにユニット本体の後部からカメラ本体の後側に向かって架け渡す場合、ユニット本体の回動操作に伴って複数の配線が互いに絡みやすくなってしまう。そして、各配線が互いに絡まないように複数の配線をカメラ本体内に配置する場合に、撮像装置が大型化してしまうという問題も生じる。
【０００８】
したがって、上述のように特許文献１の撮像装置では、フレキシブル配線基板を含む複数の配線を、レンズユニットの回動操作に影響しないようにカメラ本体内に適切に収めることができなかった。
【０００９】
本発明は斯かる点に鑑みてなされたものであり、その目的は、複数の配線をレンズユニットの回動操作に影響しないように撮像装置内に適切に収めることができるようにすることにある。
【課題を解決するための手段】
【００１０】
上記の目的を達成するために、本発明の第１の形態は撮像装置に係るものであり、この撮像装置は、電子部品を有する装置本体と、装置本体にレンズ光軸を中心として回動操作可能に連結されたレンズユニットと、レンズユニットに設けられ、撮像装置における所定の機能を実行させるための複数の機能部と、レンズユニットの後部と電子部品とに亘って掛け渡され、各機能部と電子部品とを電気的に接続するための複数の配線と、を備えている。レンズユニットの後側には、複数の配線を、レンズユニットの後部に沿った状態で這わせるための配線空間が設けられている。そして、複数の配線は、配線空間内でレンズユニットの回動操作に伴ってレンズ光軸回りに変位可能に配置されていることを特徴とする。
【００１１】
第１の形態において、配線空間内には複数の配線がレンズユニットの後部に沿った状態で這わされているため、複数の配線がレンズユニットの回動操作に応じてその回動方向に沿って緩みやすく或いは引っ張られやすくなる。そして、複数の配線が配線空間内でレンズユニットの回動操作に伴ってレンズ光軸回りに変位可能に配置されている。すなわち、配線空間内では、各配線の位置がレンズユニットの回動操作に追従して適宜変化することが許容されている。これにより、複数の配線が配線空間内で緩んだり引っ張られたりしても、レンズユニットを装置本体に対してスムーズに回動操作させることが可能となる。さらに、配線空間内では複数の配線がレンズユニットの後部に沿った状態で這わされているため、複数の配線をレンズユニットの後方にまとめて配置しやすくなり、撮像装置が大型化しないようになる。したがって、第１の形態では、複数の配線をレンズユニットの回動操作に影響しないように装置本体内に適切に収めることができる。
【００１２】
第２の形態は、第１の形態において、配線空間内には、各配線の変位範囲を規制する規制部が設けられていることを特徴とする。
【００１３】
この第２の形態では、規制部により配線空間内で各配線の変位範囲が規制されていることから、各配線がレンズユニットの回動操作に伴って配線空間内で大きく変位しないようになる。これにより、各配線が互いに絡み合わないように各配線を装置本体内に適切に収めることができる。
【００１４】
第３の形態は、第１または第２の形態において、レンズユニットの後部から装置本体の後側に間隔をあけた位置に仕切り壁部材が配設されており、配線空間は、仕切り壁部材の前側に形成されていることを特徴とする。
【００１５】
この第３の形態では、仕切り壁部材により、配線空間を、各配線がレンズユニットの回動操作に伴って装置本体の後側と干渉しないように区画することが可能となる。その結果、各配線をレンズユニットの回動操作に影響しないように装置本体内に適切に収めることができる。
【００１６】
第４の形態は、第１〜第３のいずれか１つの形態において、レンズユニットの後部には、複数の配線を配線空間内に配置するための台座部が設けられており、台座部には複数の配線のうちの少なくとも１つの配線と電気的に接続される中継基板が設けられており、該配線が配線空間内において中継基板から電子部品に向かうように配置されていることを特徴とする。
【００１７】
この第４の形態では、レンズユニットの後部に設けられた台座部により複数の配線を配線空間内に配置しやすくなるとともに、各機能部と台座部との距離が比較的長いような場合であっても中継基板およびこれに接続された配線により各機能部と電子部品とを電気的に接続することが容易になる。これにより、複数の配線を装置本体内に適切に収めることができる。
【００１８】
第５の形態は、第４の形態において、レンズユニットの後部には撮像素子が内蔵されており、台座部の前側には、撮像素子により生じた熱を放熱するための放熱部が設けられていることを特徴とする。
【００１９】
第５の形態では、放熱部によりレンズユニットに内蔵された撮像装置に生じた熱をレンズユニットの後部側から効率よく放熱することができる。
【発明の効果】
【００２０】
以上説明したように、本発明によると、複数の配線をレンズユニットの回動操作に影響しないように撮像装置内に適切に収めることができる。
【図面の簡単な説明】
【００２１】
【図１】図１は、本発明の実施形態に係る撮像装置を示す全体斜視図である。
【図２】図２は、撮像装置の正面図である。
【図３】図３は、撮像装置を構成する一部の要素を示す分解斜視図である。
【図４】図４は、後側筐体部を取り外した状態において、レンズユニットが基準位置にあるときの撮像装置の背面視左側部分を示す背面図である。
【図５】図５は、図４に示した撮像装置から仕切り壁部材を取り外したときの内部構成を示す図４相当図である。
【図６】図６は、レンズユニットが回動位置にあるときの撮像装置の背面視左側部分を示す図５相当図である。
【図７】図７は、枠部の構成を後方から見て示す斜視図である。
【図８】図８は、台座部の構成を後方から見て示す斜視図である。
【図９】図９は、図４のIX−IX線断面において撮像装置の後部のみを示す部分断面図である。
【図１０】図１０は、図４のX−X線断面において撮像装置の後部のみを示す部分断面図である。
【発明を実施するための形態】
【００２２】
以下、本発明の実施形態を図面に基づいて詳細に説明する。以下の実施形態の説明は、本質的に例示に過ぎず、本発明、その適用物或いはその用途を制限することを意図するものではない。
【００２３】
図１および図２は、本発明の実施形態に係る撮像装置１の全体を示している。この撮像装置１は、例えばデジタルカメラ、デジタルビデオカメラ等として用いられる。また、以下の説明において、撮像装置１に関し、後述するレンズ部２５が配置されている側を「前側」とし、後述する後側筐体部４が配置されている側を「後側」として撮像装置１の前後方向の位置関係を表すものとする。
【００２４】
ここで、図９および図１０では、後述する配線空間Ｓを明示するために後述する配線６０，６０，…の図示を省略している。また、図９および図１０では、撮像装置１の後部における内部構造を簡略化して示すために、後述する後側筐体部４およびレンズユニット２０（レンズ本体部２４）を仮想線で示している。
【００２５】
図１〜図３に示すように、撮像装置１は、装置本体２を備えている。装置本体２は、前側筐体部３、後側筐体部４、レンズカバー部５、操作部６，６、外筒部１０、およびファインダ部（図示せず）を主たる要素部材として有している。また、撮像装置１は、所定の機能を実行させるための複数の機能部を備えている。複数の機能部としては、例えば後述するレンズユニット２０に設けられたレンズ部２５、撮像素子（図示せず）、レンズ駆動部（図示せず）などが挙げられる。
【００２６】
図１および図３に示すように、外筒部１０は、略円筒状に形成されていて、前後方向に貫通形成された開口部１１を有している。また、外筒部１０の後部は、前側筐体部３の前側で連結固定されている。
【００２７】
図４〜図６および図１０に示すように、前側筐体部３には、主回路基板１５（電子部品）が設けられている。また、主回路基板１５には、その背面側を覆う放熱板１６が取り付けられている。この放熱板１６の左端部には、後述する仕切り壁部材５５の側部を係止するための係止部１７が形成されている。なお、図４〜図６および図１０では、主回路基板１５を強調して示すために、主回路基板１５を示す部分にドットによるハッチングを付している。
【００２８】
次に、撮像装置１は、レンズユニット２０を備えている。図３に示すように、レンズユニット２０は、装置本体２と一体になるように外筒部１０の開口部１１内に収容されている。
【００２９】
図１および図３に示すように、レンズユニット２０は、円筒状に形成された内筒部２１と、内筒部２１の内部に設けられたレンズ本体部２４とを有している。具体的に、レンズ本体部２４は、主回路基板１５の前方の位置に配置されている（図１０参照）。また、レンズ本体部２４は、その前端部に配設されたレンズ部２５と、レンズ本体部２４の後部に内蔵されたＣＣＤなどの長方形状の撮像素子（図示せず）とを有している。
【００３０】
内筒部２１には、その外周面２２から半径方向外側に向かって突出しかつ外周面２２の周方向に沿って延びるフランジ部２３が形成されている。そして、レンズユニット２０は、回動機構（図示せず）によりフランジ部２３が外筒部１０の内周面１２に対して摺動しながら、外筒部１０（装置本体２）に対しレンズ部２５のレンズ光軸Ｌ（図１参照）を中心に０〜９０°の範囲で回動操作可能となっている。
【００３１】
なお、撮像装置１は、レンズユニット２０が外筒部１０に対して回動する前の状態に相当する０°の位置（以下「基準位置」という、図５参照）にあるときに上記撮像素子の長手方向が左右方向に沿うようになる一方、レンズユニット２０が上記基準位置から９０°回動した位置（以下「回動位置」という、図６参照）にあるときに撮像素子の長手方向が上下方向に沿うようになるように構成されている。
【００３２】
図３に示すように、内筒部２１の外周面２２には、その周方向に沿って延びる収容部３１が形成されている。そして、収容部３１は、その内部に円環状の防水部材３２が収容されるように構成されている。防水部材３２は、例えば断面視で略Ｘ字状のＸリングからなり、水が外部から内筒部２１の外周面２２と外筒部１０の内周面１２との間を通って装置本体２内に浸入しないように構成されている。
【００３３】
次に、図３〜図７に示すように、前側筐体部３の内部には、略枠状に形成された枠部４０が設けられている。枠部４０は、例えばアルミダイカストからなり、レンズ本体部２４の後端部よりも後方の位置に配置されている（図９および図１０参照）。また、枠部４０は、前後方向に貫通形成された円形状の内周部４１を有していて、内周部４１の内径が後述する台座部５１の外径よりも大きくなるように形成されている。さらに、枠部４０は、背面視で左側部に形成された取付部４２，４２を有している。この取付部４２，４２は、後述する仕切り壁部材５５を取り付けるためのものである。
【００３４】
図３に示すように、レンズ本体部２４の後端部には、略板状の放熱部５０が設けられている。放熱部５０は、例えば銅板などの熱伝導率が比較的高い金属材からなる。図９および図１０に示すように、放熱部５０は、レンズ本体部２４の後端部から後方に所定の間隙をあけて位置しかつ後述する台座部５１の前側に配置されている。そして、放熱部５０は、上記撮像素子により生じた熱を上記間隙内で放熱するように構成されている。
【００３５】
図３〜図６に示すように、放熱部５０の後側には、略円盤状の台座部５１が設けられている。台座部５１は、背面視で枠部４０の内周部４１内に収まるように配置されている。また、図９および図１０に示すように、台座部５１は、レンズ本体部２４の後端部よりも後方の位置に配置されている。具体的に、台座部５１は、放熱部５０の前側から後述する第１規制部７１のビス穴に対してビス等により締結固定されている（図９参照）。
【００３６】
図５および図６に示すように、台座部５１の周縁部には、前後方向に貫通形成された長孔部５２が設けられている。長孔部５２は、レンズユニット２０が基準位置にある状態（図５参照）で台座部５１の上側に配置されており、台座部５１の周方向に沿って延びている。この長孔部５２内には、後述する第２ケーブル６５，６５，…が挿通されている。
【００３７】
また、台座部５１の後面には、位置きめボス８０，８０が形成されている。この位置きめボス８０，８０は、台座部５１の後面から後方に向かって突出していて、各々が後述する中継基板５３に形成された孔８１，８１に挿通されて位置決めされるようになっている。
【００３８】
図３に示すように、台座部５１の後側には、略板状の中継基板５３が設けられている。この中継基板５３の略中央には前後方向に貫通する孔部５４が形成されていて、この孔部５４内に後述する第１規制部７１が挿通されている（図９および図１０参照）。そして、中継基板５３は、孔部５４内に第１規制部７１が挿通された状態で台座部５１の後側からビス８２，８２により締結固定されている（図５および図６参照）。
【００３９】
図３に示すように、レンズ本体部２４の後方には仕切り壁部材５５が設けられている。仕切り壁部材５５は、例えば透明なＰＥＴ材からなり、略矩形板状に形成されている。図４に示すように、仕切り壁部材５５は、背面視で左側部が枠部４０の取付部４２，４２に対してビスで締結固定され、かつ右側部が放熱板１６の係止部１７に係止された状態で前側筐体部３（装置本体２）に取付固定されている。このようにして、図９および図１０に示すように、仕切り壁部材５５は、レンズ本体部２４の後端部（レンズユニット２０の後部）から装置本体２の後側に所定の間隔をあけた位置に配設されている。
【００４０】
そして、図９および図１０に示すように、レンズユニット２０の後側には、後述する配線６０，６０，…を、台座部５１の後面（レンズユニット２０の後部）に沿った状態で這わせるための配線空間Ｓが設けられている。配線空間Ｓは、仕切り壁部材５５の前側に形成されていて、配線６０，６０，…が台座部５１の後面側に配置されるように構成されている。
【００４１】
次に、図５および図６に示すように、撮像装置１は、レンズユニット２０の後部側に配設された複数の配線６０，６０，…を備えている。配線６０，６０，…は、配線空間Ｓ内でレンズユニット２０の回動操作に伴ってレンズ光軸Ｌ回りに変位可能に配置されている。
【００４２】
具体的に、配線６０，６０，…は、第１〜第３フレキシブル配線板６１〜６３を含んでいる。第１〜第３フレキシブル配線板６１〜６３は、「Ｆｌｅｘｉｂｌｅ  Ｐｒｉｎｔｅｄ  Ｃｉｒｃｕｉｔｓ」と呼ばれるプリント基板の一種であり、柔軟性を有しかつ変形状態でも電気的特性が変化しないようになっている。また、配線部６０，６０，…は、例えば細線同軸ケーブルからなる第１ケーブル６４を含んでいる。なお、第１ケーブル６４としては、細線同軸ケーブルに限られず、一般的なリード線からなるものであってもよい。
【００４３】
第１フレキシブル配線板６１は、一方の接続端子（図示せず）が例えばレンズユニット２０に設けられた上記レンズ駆動部（機能部）と電気的に接続されかつ他方の接続端子が台座部５１の後面上に取り付けられた状態で中継基板５３に接続されるように構成されている。また、第３フレキシブル配線板６３は、一方の接続端子（図示せず）が中継基板５３上に設けられた図示しない配線に接続されかつ他方の接続端子が主回路基板１５と電気的に接続されるように構成されている。すなわち、第１フレキシブル配線板６１および第３フレキシブル配線板６３は、中継基板５３を介して上記レンズ駆動部（機能部）と主回路基板１５とを電気的に接続している。
【００４４】
第２フレキシブル配線板６２は、一方の接続端子（図示せず）が例えば上記撮像素子（機能部）と電気的に接続されかつ他方の接続端子が台座部５１の後面上に取り付けられた状態で中継基板５３に接続されるように構成されている。また、第１ケーブル６４は、一方の接続端子が中継基板５３上に設けられた図示しない配線に接続されかつ他方の接続端子が主回路基板１５と電気的に接続されるように構成されている。すなわち、第２フレキシブル配線板６２および第１ケーブル６４は、中継基板５３を介して上記撮像素子（機能部）と主回路基板１５とを電気的に接続している。
【００４５】
さらに、図５および図６に示すように、配線６０，６０，…は、例えば細線同軸ケーブルからなる複数（図示例では６本）の第２ケーブル６５，６５，…を含んでいる。具体的に、各第２ケーブル６５は、一方の接続端子（図示せず）が上記各機能部と電気的に接続されかつ他方の接続端子（図示せず）が主回路基板１５と電気的に接続されるように構成されている。なお、第２ケーブル６５，６５，…としては、第１ケーブル６４と同様に、細線同軸ケーブルに限られず、一般的なリード線からなるものであってもよい。
【００４６】
次に、図５、図６、および図８〜図１０に示すように、配線空間Ｓ内には各配線６０の変位範囲を規制する規制部７０，７０，…が設けられている。具体的に、規制部７０，７０，…は、第１〜第４規制部７１〜７４により構成されている。
【００４７】
第１規制部７１は、背面視で台座部５１の略中央位置に配置されていて、台座部５１の後面から後方（後側筐体部４側）に向かって円筒状に突出している。そして、図５および図６に示すように、第１ケーブル６４は、中途部が第１規制部７１の周囲に巻き付くように配線空間Ｓ内に配置されている。また、図９および図１０に示すように、第１規制部７１は、先端部が中継基板５３の孔部５４に挿通された状態で仕切り壁部材５５の前面に当接するようになっている。
【００４８】
図５に示すように、第２規制部７２は、レンズユニット２０が基準位置にある状態において背面視で台座部５１の上側に配置されていて、台座部５１の後面から後側筐体部４に向かって円筒状に突出している。そして、図６に示すように、各第２ケーブル６５は、レンズユニット２０が回動位置にある状態で中途部が第２規制部７２の周囲に巻き付くように配線空間Ｓ内に配置されている。また、図９に示すように、第２規制部７２は、先端部が仕切り壁部材５５の前面に当接するようになっている。
【００４９】
図５に示すように、第３規制部７３は、レンズユニット２０が基準位置にある状態において背面視で台座部５１の上側に配置されかつ第２規制部７２の左下側に間隔をあけて対向している。第３規制部７３は、台座部５１の後面から後側筐体部４に向かって略壁状に突出している。具体的に、第３規制部７３は、背面視で短辺部が中継基板５３の上端辺に沿って延びる一方、長辺部が上記短辺部に連続しかつ台座部５１の半径方向外側に向かって延びるように形成されている。また、図１０に示すように、第３規制部７３は、先端部が仕切り壁部材５５の前面に当接するようになっている。
【００５０】
第４規制部７４は、レンズユニット２０が基準位置にある状態において背面視で第１規制部７１の左側に間隔をあけて配置されている。第４規制部は、台座部５１の後面から後側筐体部４に向かって略壁状に突出し、中継基盤５３に設けられた長孔（図示せず）に挿通された状態で中継基盤５３に取り付けられている。
【００５１】
次に、図５および図６を参照しながら、レンズユニット２０が基準位置から回動位置まで回動したときの配線空間Ｓ内における各配線６０の変位を説明する。
【００５２】
第１〜第３フレキシブル配線板６１〜６３の各々は、レンズユニット２０が基準位置から回動位置まで回動したときに、全体が背面視で時計回り方向に９０°回動するように変位する。
【００５３】
第１ケーブル６４は、レンズユニット２０が基準位置から回動位置まで回動したときに、第１規制部７１に巻き付いた中途部から中継基板５３に接続された一方の接続端子までの部分が背面視で時計回り方向に９０°回動するように変位する。
【００５４】
各第２ケーブル６５は、レンズユニット２０が基準位置から回動位置まで回動したときに、長孔部５２に挿通された部分が時計回り方向に９０°回動しかつ中途部が第２規制部７２の周囲に巻き付くように変位する。また、各第２ケーブル６５は、仕切り壁部材５５および第３規制部７３により区画された空間内からその外部に離脱しないように隔離されている。
【００５５】
（実施形態の作用効果）
この実施形態に係る撮像装置１において、配線空間Ｓ内には配線６０，６０，…がレンズユニット２０の後部に沿った状態で這わされているため、各配線６０がレンズユニット２０の回動操作に応じてその回動方向に沿って緩みやすく或いは引っ張られやすくなる。そして、配線６０，６０，…が配線空間Ｓ内でレンズユニット２０の回動操作に伴ってレンズ光軸Ｌ回りに変位可能に配置されている。すなわち、配線空間Ｓ内では、各配線６０の位置がレンズユニット２０の回動操作に追従して適宜変化することが許容されている。これにより、各配線６０が配線空間Ｓ内で緩んだり引っ張られたりしても、レンズユニット２０を装置本体２に対してスムーズに回動操作させることが可能となる。さらに、配線空間Ｓ内では配線６０，６０，…がレンズユニット２０の後部に沿った状態で這わされているため、配線６０，６０，…をレンズユニット２０の後方にまとめて配置しやすくなり、撮像装置１が大型化しないようになる。したがって、この実施形態に係る撮像装置１では、配線６０，６０，…をレンズユニット２０の回動操作に影響しないように装置本体２内に適切に収めることができる。
【００５６】
また、規制部７０，７０，…により配線空間Ｓ内で各配線６０の変位範囲が規制されていることから、各配線６０がレンズユニット２０の回動操作に伴って配線空間Ｓ内で大きく変位しないようになる。これにより、各配線６０が互いに絡み合わないように各配線６０を装置本体２内に適切に収めることができる。
【００５７】
また、レンズユニット２０の後部から装置本体２の後側（後側筐体部４側）に間隔をあけた位置に仕切り壁部材５５が配設されており、配線空間Ｓは仕切り壁部材５５の前側に形成されている。この仕切り壁部材５５により、配線空間Ｓを、各配線６０がレンズユニット２０の回動操作に伴って装置本体２の後側（特に後側筐体部４の内面側）と干渉しないように区画することが可能となる。その結果、配線６０，６０，…をレンズユニット２０の回動操作に影響しないように装置本体２内に適切に収めることができる。
【００５８】
また、レンズユニット２０の後部に設けられた台座部５１により、配線６０，６０，…を配線空間Ｓ内に配置しやすくなる。さらに、台座部５１に中継基板５３を設けたことから、各機能部と台座部５１との距離が比較的長いような場合であっても、第１フレキシブル配線板６１および第３フレキシブル配線板６３を、中継基板５３によりレンズユニット２０に設けられた上記レンズ駆動部（機能部）と装置本体２に設けられた主回路基板１５とが電気的に接続されるように構成することが容易になる。第２フレキシブル配線板６２および第１ケーブル６４についても、中継基板５３により上記撮像素子（機能部）と主回路基板１５とが電気的に接続されるように構成することが容易になる。これにより、配線６０，６０，…を装置本体２内に適切に収めることができる。
【００５９】
また、台座部５１の前側に放熱部５０が設けられているため、レンズユニット２０に内蔵された上記撮像装置に生じた熱をレンズユニット２０の後部側から効率よく放熱することができる。
【００６０】
［その他の実施形態］
上記実施形態では、配線６０，６０，…（具体的には、第３フレキシブル配線板６３、第１ケーブル６４、各第２ケーブル６５）において各々の他方の接続端子が主回路基板１５と電気的に接続された形態を示したが、この形態に限られない。すなわち、各配線６０における他方の接続端子は、必ずしも主回路基板１５と電気的に接続されていなくてもよく、装置本体２に設けられたその他の電子部品と電気的に接続されていてもよい。具体的に、その他の電子部品としては、例えば、副回路基板（電源回路など）、装置本体２側の中継用基板、電池端子、ストロボコンデンサ、ＬＥＤ機器、操作スイッチ、Ｗｉ−Ｆｉ機器などの機能モジュール、アンテナなどが挙げられる。要は、配線６０，６０，…が、レンズユニット２０の後部と上述した各種の電子部品とに亘って掛け渡され、レンズユニット２０に設けられた各機能部と装置本体２に設けられた電子部品とを電気的に接続するように構成されていればよい。
【００６１】
また、上記実施形態に係る撮像装置１として、仕切り壁部材５５を枠部４０に取り付けた形態を示したが、この形態に限られない。すなわち、仕切り壁部材５５を装置本体２側に取り付けた形態に限られず、例えば台座部５１またはレンズ本体部２４の後端部に取り付けてもよい。または、仕切り壁部材５５を設けない形態であってもよい。要は、レンズ本体部２４の後方に配置空間Ｓが形成されていればよい。
【００６２】
また、上記実施形態に係る撮像装置１として、外筒部１０の外形が正面視で円状に形成された形態を示したが、この形態に限られない。例えば、外筒部１０の外形が正面視で多角形状に形成されていてもよい。
【００６３】
また、上記実施形態に係る撮像装置１では、レンズユニット２０が装置本体２と一体に取り付けられた形態を示したが、この形態に限られない。例えば、レンズユニット２０は、図示しないレンズマウント部により装置本体２に対し着脱可能となりかつレンズマウント部とともに装置本体２に対し回動操作可能となるように構成されていればよい。そして、このような形態では、レンズマウント部の後端部側に放熱部５０および台座部５１を取り付けるようにすればよい。
【００６４】
以上、本発明についての実施形態を説明したが、本発明は上述の実施形態のみに限定されず、発明の範囲内で種々の変更が可能である。
【産業上の利用可能性】
【００６５】
本発明は、デジタルカメラ、デジタルビデオカメラ等の撮像装置として産業上の利用が可能である。
【符号の説明】
【００６６】
１：撮像装置
２：装置本体
３：前側筐体部
４：後側筐体部
５：レンズカバー部
１０：外筒部
１５：主回路基板（電子部品）
２０：レンズユニット
２１：内筒部
２４：レンズ本体部
２５：レンズ部
４０：枠部
５０：放熱部
５１：台座部
５３：中継基板
５５：仕切り壁部材
６０：配線
７０：規制部
Ｌ：レンズ光軸
Ｓ：配線空間
【図１】
2019002946.tif 000003
【図２】
2019002946.tif 000004
【図３】
2019002946.tif 000005
【図４】
2019002946.tif 000006
【図５】
2019002946.tif 000007
【図６】
2019002946.tif 000008
【図７】
2019002946.tif 000009
【図８】
2019002946.tif 000010
【図９】
2019002946.tif 000011
【図１０】
2019002946.tif 000012